(57)【要約】【課題】収容する際には通信装置に対してストレスをかけ難く、且つ、ベルトによって生体に装着する際には通信装置を収容空間内に保持し易くする。【解決手段】ポケット部１１は、生体に巻きつけて装着するベルト２に設けられ、通信装置３を収容する収容空間１５と、この収容空間１５におけるベルト２の長手方向の端部に設けられ、この通信装置が差し込まれる差込口とを有する。カバー部１２は、ベルト２に設けられ、このベルト２を生体に巻きつけたときに差込口を覆う。ポケット部１１とカバー部１２とは、装着されたときに生体に面する側の反対側の部位（蝶番部１４）で接続され、生体に巻きつけていないときにこの部位を支点として反対側に曲げられるように構成されている。【選択図】図５
2013123456.tif 000002
【特許請求の範囲】
【請求項１】
生体に巻きつけて装着するベルトに設けられ、通信装置を収容する収容空間と、当該収容空間における前記ベルトの長手方向の端部に設けられ、当該通信装置が差し込まれる差込口とを有するポケット部と、
前記ベルトに設けられ、当該ベルトを前記生体に巻きつけたときに前記差込口を覆うカバー部と
を備え、
前記ポケット部と前記カバー部とは、装着されたときに前記生体に面する側の反対側の部位で接続され、前記生体に巻きつけていないときに当該部位を支点として当該反対側に曲げられるように構成されている
ことを特徴とする収容ケース。
【発明の詳細な説明】
【技術分野】
【０００１】
本発明は、非接触ＩＣタグなどの通信装置を収容して腕時計のベルトに固定する収容ケースに関する。
【背景技術】
【０００２】
非接触ＩＣタグなどの近接電磁界伝送方式を用いた通信装置の普及に伴い、これら通信装置を保護しつつ収容するためのケースが開発されている。例えば、特許文献１には、記憶媒体の着脱が自由で、リストバンドと結合して使用する簡単な構造のＩＣ記憶媒体収容ケースが記載されている。
【先行技術文献】
【特許文献】
【０００３】
【特許文献１】特開２００１−２３６４７６号公報
【発明の概要】
【発明が解決しようとする課題】
【０００４】
しかし、特許文献１に記載のＩＣ記憶媒体収容ケースでは、固定部と可動部の相対的な位置関係を変えることにより収容空間への媒体挿入口が開閉する構成であるため、リストバンドを着用した状態でこの固定部と可動部の相対的な位置関係が変化してしまうことがある。したがって、例えば、このＩＣ記憶媒体収容ケースが結合したリストバンドにより腕時計を腕に装着したユーザがジョギングなどの激しい運動をしていると、収容された装置（ＩＣ記憶媒体）がこのケースから落ちてしまう可能性がある。
【０００５】
一方、収容された装置を確実に保持するために収容ケースを樹脂などの可撓性のある部材で作成するとともに、装置の大きさよりも小さい開口部を設けてこの開口部をこじ開けて装置を収容することも考えられる。しかし、開口部自体はその可撓性により収容時のストレスに耐えられても、収容される装置はＩＣチップなどであるため、ストレスのために破損してしまう可能性がある。
【０００６】
図１２は、開口部をこじ開けて装置を収容するケースの例を示す図である。図１２に示す腕時計８は、文字盤４１を備えた時計４と、時計４に接続されたベルト２と、ベルト２の一端に設けられ、ベルト２の他端を固定する止め具５と、ベルトに設けられ可撓性のある材質で形成されたケース７とを備える。ケース７には内側の面に、通信装置３よりもやや小さい開口部７１が設けられている。腕時計８のユーザは、この開口部７１にストレスをかけて拡げ、通信装置３を押しこむことでケース７の内側に通信装置３を収容する。このとき、開口部７１にかけられたストレスが通信装置３にかかり、通信装置３が折れ曲がる場合がある。
【０００７】
本発明の目的は、収容する際には通信装置に対してストレスをかけ難く、且つ、ベルトによって生体に装着する際には通信装置を収容空間内に保持し易くすることにある。
【課題を解決するための手段】
【０００８】
上述した課題を解決するため、本発明に係る収容ケースは、生体に巻きつけて装着するベルトに設けられ、通信装置を収容する収容空間と、当該収容空間における前記ベルトの長手方向の端部に設けられ、当該通信装置が差し込まれる差込口とを有するポケット部と、前記ベルトに設けられ、当該ベルトを前記生体に巻きつけたときに前記差込口を覆うカバー部とを備え、前記ポケット部と前記カバー部とは、装着されたときに前記生体に面する側の反対側の部位で接続され、前記生体に巻きつけていないときに当該部位を支点として当該反対側に曲げられるように構成されていることを特徴とする。
【発明の効果】
【０００９】
本発明によれば、収容する際には通信装置に対してストレスをかけ難く、且つ、ベルトによって腕に装着する際には通信装置を収容空間内に保持し易くすることができる。
【図面の簡単な説明】
【００１０】
【図１】本発明の実施形態に係る収容ケース１の外観を示す図である。
【図２】収容ケース１を説明するための拡大図である。
【図３】収容ケース１を腕（生体）の側から見た図である。
【図４】図３における矢視ＩＶ−ＩＶから収容ケース１を見た断面図である。
【図５】図３における矢視Ｖ−Ｖから収容ケース１を見た断面図である。
【図６】変形例における収容ケース１ａの外観を示す図である。
【図７】図６における矢視ＶＩ−ＶＩから収容ケース１を見た断面図である。
【図８】変形例における収容ケース１ｂの外観を示す図である。
【図９】変形例における収容ケース１ｂの斜視図である。
【図１０】図９における収容ケース１ｂを矢印Ｄ９方向に曲げたときの図である。
【図１１】折り曲げた収容ケース１ｂを通信装置３の差込方向に見た図である。
【図１２】開口部をこじ開けて装置を収容するケースの例を示す図である。
【発明を実施するための形態】
【００１１】
＜実施形態＞
図１は、本発明の実施形態に係る収容ケース１の外観を示す図である。図１に示すように収容ケース１は、腕時計９の一部を構成する部材である。腕時計９は、文字盤４１を備えた時計４と、時計４に接続されたベルト２と、ベルト２の一端に設けられ、ベルト２の他端を固定する止め具５と、ベルト２に設けられた収容ケース１とを備える。ベルト２は、腕に巻きつけて装着する帯状の部材である。収容ケース１を構成する材質は特に限定しないが、通信装置３に密着して保持するために可撓性のある材質が好ましい。また、ベルト２を構成する材質は特に限定しないが、腕に巻きつけて使用するため可撓性のある材質が好ましい。これら可撓性のある材質としては、例えばポリエチレン樹脂やウレタン樹脂などが挙げられる。なお、ここでいうベルト２を「腕に装着する」とは、ベルト２が直接、腕に接触するように装着することを含むが、間接的に装着すること、例えば、腕に着用された衣服などの上からベルト２を装着することも含む。
【００１２】
図２は、収容ケース１を説明するための拡大図である。図２（ａ）に示す収容ケース１は、ベルト２に設けられたポケット部１１およびカバー部１２を有し、これらポケット部１１とカバー部１２との境界には切れ込み線１３が入れられている。収容ケース１の内部には通信装置３が収容される。通信装置３は、例えば、金額などの価値情報を記憶するとともに、近接電磁界伝送方式を用いた通信によってこの価値情報をやり取りして商取引を実現する非接触ＩＣタグなどである。通信装置３は、図２（ｂ）に示す平板の形状を有する。
【００１３】
以下、図において、収容ケース１の各構成の配置を説明するため、各構成が配置される空間をｘｙｚ右手系座標空間として表す。また、図に示す座標記号のうち、内側が白い円の中に黒い円を描いた記号は、紙面奥側から手前側に向かう矢印を表している。また、内側が白い円の中に交差する２本の線分を描いた記号は、紙面手前側から奥側に向かう矢印を表している。空間においてｘ軸に沿う方向をｘ軸方向という。また、ｘ軸方向のうち、ｘ成分が増加する方向を＋ｘ方向といい、ｘ成分が減少する方向を−ｘ方向という。同様に、ｙ、ｚ成分についても、ｙ軸方向、＋ｙ方向、−ｙ方向、ｚ軸方向、＋ｚ方向、−ｚ方向を定義する。
【００１４】
図３は、収容ケース１を腕（生体）の側から見た図である。ここで、ベルト２の長手方向をｘ軸方向とし、ベルト２を腕に巻きつけたときに腕に面する側を＋ｙ方向とし、ベルト２の幅の方向をｚ軸方向とする。収容ケース１はｚ軸方向に沿って＋ｙ方向の側の面に切れ込み線１３が入っている。図３に示すように、この切れ込み線１３よりも＋ｘ方向にポケット部１１が配置され、−ｘ方向にカバー部１２が配置される。
【００１５】
図４は、図３における矢視ＩＶ−ＩＶから収容ケース１を見た断面図である。矢視ＩＶ−ＩＶから収容ケース１を見ると、図４に示すように切れ込み線１３に沿ったポケット部１１の端部と、このポケット部１１とカバー部１２とを接続している蝶番部１４とが見える。蝶番部１４の＋ｙ方向側には通信装置３を収容するための収容空間１５がある。
【００１６】
図５は、図３における矢視Ｖ−Ｖから収容ケース１を見た断面図である。図５（ａ）に示すように切れ込み線１３を境として＋ｘ方向にはポケット部１１が、−ｘ方向にはカバー部１２が配置されている。上述したとおり＋ｙ方向は装着の際に腕に面する側、すなわち内側であり、−ｙ方向はその反対側、すなわち外側である。カバー部１２は、蝶番部１４を支点として矢印Ｄ５１方向に折り曲げられるように構成されている。カバー部１２が折り曲げられると図５（ｂ）に示したような形状になり、ポケット部１１の内側にある収容空間１５の−ｘ方向（ベルト２の長手方向）の端部には差込口が顕れる。この差込口に向けて矢印Ｄ５２方向に通信装置３を差し込むことで通信装置３が収容空間１５に収容される。通信装置３を収容した後、上述の図５（ａ）に示した矢印Ｄ５１方向の反対方向にカバー部１２を移動させ、このカバー部１２を元の位置に戻すと通信装置３の−ｘ方向の端部がカバー部１２によって覆われる。
【００１７】
そして、通信装置３を収容空間１５に収容してその端部をカバー部１２によって覆った後にベルト２を腕に巻きつけると、切れ込み線１３は腕に押圧される。そして、蝶番部１４は腕から見て通信装置３の外側にあり、ポケット部１１とカバー部１２とを繋いでいる。したがって、通信装置３は蝶番部１４と腕とに挟まれた状態で固定され、切れ込み線１３は腕に押圧されて塞がれているため、収容ケース１は、通信装置３を保持し収容空間１５から脱落させ難い。
【００１８】
以上説明したとおり、収容ケース１は、通信装置３を収容する際には蝶番部１４を支点としてカバー部１２を折り曲げることにより、収容空間１５の差込口が顕れるので、この差込口から収容空間１５に沿って通信装置３を収容し易くなる。このときの通信装置３の差込方向には障害となる部材が無いため、通信装置３に対するストレスはかかり難い。
【００１９】
一方、ベルト２を腕に巻きつけて腕時計９を装着する際には収容ケース１は、通信装置３を腕と蝶番部１４とによって挟んで固定するため、収容空間内に保持し易くする。したがって、この腕時計９を腕に装着した状態でユーザが激しい運動などをしたとしても、通信装置３が収容ケース１から落ちる可能性は低い。
【００２０】
＜変形例＞
以上が実施形態の説明であるが、この実施形態の内容は以下のように変形し得る。また、以下の変形例を組み合わせてもよい。
（１）材質
上述した実施形態において、収容ケース１の材質は可撓性のある材質が望ましいことを述べたが、さらに光透過性を有する材質であってもよい。可視光を透過する性質を有する材質で収容ケース１を製造することにより、通信装置３は外部から視認され易くなる。これにより、通信装置３を収容ケース１の内部に収容した状態で、その表面に印刷された文字などをユーザに見せることができる。
【００２１】
（２）窓
上述した実施形態において、収容ケース１のポケット部１１をカバー部１２が覆うと、通信装置３の全体は収容ケース１にすっぽりと覆われた状態になっていたが、収容ケース１には窓を設けてもよい。図６は、この変形例における収容ケース１ａの外観を示す図である。収容ケース１ａには、装着したときに腕に面する側に、通信装置３よりも小さい窓が設けられている。収容ケース１ａを構成するポケット部１１ａは、収容ケース１におけるポケット部１１に対応しており、上述した窓が開けられていること以外はポケット部１１と同じである。また、収容ケース１ａを構成するカバー部１２ａは、収容ケース１におけるカバー部１２に対応しており、上述した窓が開けられていること以外はカバー部１２と同じである。
【００２２】
図７は、図６における矢視ＶＩ−ＶＩから収容ケース１ａを見た断面図である。上述したように収容ケース１ａに設けられた窓は通信装置３よりも小さく、例えば、通信装置３のｚ軸方向の長さＬ３は、窓のｚ軸方向の長さＬ１よりも大きい（Ｌ３＞Ｌ１）。したがって、ポケット部１１ａの差込口をカバー部１２ａによって覆い、さらにベルト２を腕に巻きつけることにより、上述した窓は腕によって塞がれ通信装置３が収容ケース１ａから落ちる可能性は抑制される。
【００２３】
（３）変形窓
上述した変形例において収容ケース１ａに設けた窓は、そのｚ軸方向の長さＬ１が通信装置３のｚ軸方向の長さＬ３より小さかったが、長さＬ３よりも長い部分を有していてもよい。図８は、この変形例における収容ケース１ｂの外観を示す図である。また、図９は、この変形例における収容ケース１ｂの斜視図である。収容ケース１ｂに設けられたこの窓は図６に示した窓と異なり、切れ込み線１３がない。そして、この窓には−ｘ方向の２つの角にそれぞれ切欠き部１６が設けられている。この窓のｚ軸方向の長さは切欠き部１６を除けば長さＬ１であるが、２つの切欠き部１６を含むｚ軸方向の長さは長さＬ１６である。ここで、長さＬ１は上述した通信装置３のｚ軸方向の長さＬ３よりも小さいが（Ｌ３＞Ｌ１）、長さＬ１６は長さＬ３よりも長い（Ｌ１６＞Ｌ３）。
【００２４】
図９に示すように、切欠き部１６は収容ケース１ｂの＋ｙ方向の面に設けられた切欠きであり、ほぼ矩形の窓のうち−ｘ方向にある２つの角をそれぞれ拡げるように切られている。上述したとおり＋ｙ方向は装着の際に腕に面する側、すなわち内側であり、−ｙ方向はその反対側、すなわち外側である。ユーザは、通信装置３を差し込む際に収容ケース１ｂを図９に示す矢印Ｄ９方向、すなわち腕に面する側の反対側に曲げる。
【００２５】
図１０は、図９における収容ケース１ｂを矢印Ｄ９方向に曲げたときの図である。このとき、収容ケース１ｂの＋ｙ方向の面のうち切欠き部１６が有る部分は−ｘ方向に向く。図１１は、上述したように折り曲げた収容ケース１ｂを通信装置３の差込方向、すなわち＋ｘ方向に見た図である。収容ケース１ａを曲げた場合に仮に切れ込み線１３が無いとすると、＋ｘ方向に見た収容ケース１ａは図１１（ａ）に示したようになる。すなわち、窓の一部が−ｘ方向に向くものの、その窓のｚ軸方向の長さＬ１は通信装置３の長さＬ３よりも小さいので、収容ケース１ａには通信装置３を差し込むのに十分な大きさの差込口が顕れない。
【００２６】
一方、収容ケース１ｂを曲げると、収容ケース１ｂは図１１（ｂ）に示したようになる。収容ケース１ｂは切れ込み線１３を有していないが、上面（＋ｙ方向の面）に切欠き部１６を有している。そのため、収容ケース１ｂを曲げることで通信装置３が差し込まれる動線上に２つの切欠き部１６が配置される。この２つの切欠き部１６を含む開口部が、通信装置３を差し込むのに十分な大きさの差込口として機能するので、収容ケース１ｂは通信装置３を収容し易くなる。
【００２７】
（４）装着部位
上述した実施形態において、収容ケース１は腕時計９のベルト２に設けられたが、このベルト２が装着される部位は腕に限られない。例えば、この装着部位は、人体の足や胴体、頭などでもよい。さらにこのベルト２は、人体に装着するものに限られず、例えば馬の鞍や犬の首輪など、人間以外の生体に装着されるものであってもよい。要するに、ベルト２は生体に巻きつけて装着するものであればよい。
【符号の説明】
【００２８】
１，１ａ…収容ケース、１１，１１ａ…ポケット部、１２，１２ａ…カバー部、１３…切れ込み線、１４…蝶番部、１５…収容空間、１ａ…収容ケース、２…ベルト、３…通信装置、４…時計、４１…文字盤、５…止め具、７…ケース、７１…開口部、８…腕時計、９…腕時計
【図１】
2013123456.tif 000003
【図２】
2013123456.tif 000004
【図３】
2013123456.tif 000005
【図４】
2013123456.tif 000006
【図５】
2013123456.tif 000007
【図６】
2013123456.tif 000008
【図７】
2013123456.tif 000009
【図８】
2013123456.tif 000010
【図９】
2013123456.tif 000011
【図１０】
2013123456.tif 000012
【図１１】
2013123456.tif 000013
【図１２】
2013123456.tif 000014